(57)【要約】【課題】作動レバーに、係止杆の重量や、その復帰用の付勢手段の付勢力等が常時作用することがないようにすることにより、作動レバーの耐久性を向上しうるとともに、操作レバーを軽力で操作することができ、しかも、錠を扉の所望の部位に配設することができるようにした扉の施錠装置を提供する。【解決手段】上部係止杆２０の移動軌跡内に進入することにより、上部係止杆２０の係止位置から解除位置方向への移動を阻止する停止片２８ｂと、作動レバー１５の施錠方向および解錠方向の回動動作に連動して、停止片２８ｂを上部係止杆２０の移動軌跡から離れた位置まで移動させる摺接部２８ｃとを備える板ばね(ブロック手段)２８を設ける。【選択図】  図３
2008150838.tif 000002
【特許請求の範囲】
【請求項１】
筐体の開口を開閉する扉に、扉より外側に突出して、前記筐体に係合することにより、扉を筐体に係止する係止位置と、扉の内方に移動して、前記筐体との係合を解除する解除位置とに移動可能として装着され、かつ付勢手段により、常時解除位置に向かって付勢された係止杆と、 扉に装着された施解錠操作可能の錠と、この錠に装着され、この錠が施錠操作されることにより、施錠方向に回動させられ、前記係止杆を、付勢手段の付勢力に抗して、係止位置に移動させ、前記錠が解錠操作されることにより、前記施錠方向と逆方向の解錠方向に回動させられ、前記係止杆の解除位置への復帰を許容するようにした作動レバーとを備えている扉の施錠装置において、
前記係止杆の移動軌跡内に進入することにより、係止杆の係止位置から解除位置方向への移動を阻止する停止片と、前記作動レバーの施錠方向および解錠方向の回動動作に連動して、前記停止片を、係止杆の移動軌跡から離れ、係止杆の前記移動を許容する位置まで移動させる連動手段とを備えるブロック手段を設けたことを特徴とする扉の施錠装置。
【請求項２】
係止杆が解除位置に位置しているとき、停止片が係止杆の移動軌跡内に進入し、係止杆の係止位置方向の移動を阻止するようにしたことを特徴とする請求項１記載の扉の施錠装置。
【請求項３】
ブロック手段を、基端部が扉に固着され、先端部に停止片が設けられ、かつ中間部に設けた連動手段をなす山形の摺接部が、作動レバーの施錠方向および解錠方向の回動途中において、前記作動レバーと摺接することにより、中間部が弾性撓曲させられて、前記停止片が係止杆の移動軌跡から離れた位置まで移動させられるようにした板ばねにより形成したことを特徴とする請求項１または２記載の扉の施錠装置。
【請求項４】
錠を、回転可能とした複数のダイヤルを適正な位置としたとき、操作レバーによる作動レバーの回動を可能とし、いずれかのダイヤルが適正な位置に位置していないときは、前記操作レバーによる作動レバーの回動を不能とするダイヤル錠としたことを特徴とする請求項１〜３のいずれかに記載の扉の施錠装置。
【請求項５】
上下方向を向く係止杆に、側方を向くアーム部を設け、このアーム部の上下いずれかの縁に、停止片が当接することにより、係止位置に位置している係止杆の解除位置方向への移動を阻止するようにしたことを特徴とする請求項１〜４のいずれかに記載の扉の施錠装置。
【発明の詳細な説明】
【技術分野】
【０００１】
本発明は、キャビネット、ロッカー、本箱、家具、電子機器の制御盤などにおける筐体の開口を開閉する扉(引出しの前面板を含む)の施錠装置に関する。
【背景技術】
【０００２】
この種の扉の施錠装置として、回転可能とした複数のダイヤルを適正な位置としたときは、操作レバー(操作つまみ)の回動が可能となり、いずれかのダイヤルが適正な位置に位置していないときは、操作レバーの回動が不能となるようにしたダイヤル錠を用いたものがある(例えば、特許文献１参照)。
操作レバーは、解錠位置と施錠位置とに回動可能であり、操作レバーを施錠位置へ回動させることにより、錠に装着した作動レバー(止め金)が、扉内に位置した解錠位置から、扉より外側に突出する施錠位置へ回動させられて、筐体に係合し、扉を閉止状態で拘束しうるようになっている。
【特許文献１】特開平９−２５７５０号公報
【発明の開示】
【発明が解決しようとする課題】
【０００３】
上述のような従来のダイヤル錠を用いた扉の施錠装置では、作動レバーが届く範囲で、扉を筐体に係止せざるを得ず、その係止部分とダイヤル錠との配置が著しく制約される。
【０００４】
係止部分とダイヤル錠とを離して設けることができるようにする手段として、扉の任意の部位に、係止杆を、扉から突出して、筐体に係合する係止位置と、扉の内方に移動して、筐体との係合を解除する解除位置とに移動可能として装着し、この係止杆を作動レバーと連係させることが考えられる。
【０００５】
しかし、このような構成とすると、作動レバーに、係止杆の荷重だけでなく、係止杆を解錠位置に復帰させるためのばね等の付勢力が常時作用するため、作動レバーの強度を高めなければならず、また、操作レバーの操作力が重くなる等の問題が生じる。
【０００６】
本発明は、このような問題点に鑑み、作動レバーに、係止杆の重量や、その復帰用の付勢手段の付勢力等が常時作用することがないようにすることにより、作動レバーの耐久性を向上しうるとともに、操作レバーを軽力で操作することができ、しかも、錠を扉の所望の部位に配設することができるようにした扉の施錠装置を提供することを目的としている。
【課題を解決するための手段】
【０００７】
本発明によると、上記課題は、次のようにして解決される。
（１）筐体の開口を開閉する扉に、扉より外側に突出して、前記筐体に係合することにより、扉を筐体に係止する係止位置と、扉の内方に移動して、前記筐体との係合を解除する解除位置とに移動可能として装着され、かつ付勢手段により、常時解除位置に向かって付勢された係止杆と、 扉に装着された施解錠操作可能の錠と、この錠に装着され、この錠が施錠操作されることにより、施錠方向に回動させられ、前記係止杆を、付勢手段の付勢力に抗して、係止位置に移動させ、前記錠が解錠操作されることにより、前記施錠方向と逆方向の解錠方向に回動させられ、前記係止杆の解除位置への復帰を許容するようにした作動レバーとを備えている扉の施錠装置において、前記係止杆の移動軌跡内に進入することにより、係止杆の係止位置から解除位置方向への移動を阻止する停止片と、前記作動レバーの施錠方向および解錠方向の回動動作に連動して、前記停止片を、係止杆の移動軌跡から離れ、係止杆の前記移動を許容する位置まで移動させる連動手段とを備えるブロック手段を設ける。
【０００８】
（２）上記(１)項において、係止杆が解除位置に位置しているとき、停止片が係止杆の移動軌跡内に進入し、係止杆の係止位置方向の移動を阻止するようにする。
【０００９】
（３）上記(１)または(２)項において、ブロック手段を、基端部が扉に固着され、先端部に停止片が設けられ、かつ中間部に設けた連動手段をなす山形の摺接部が、作動レバーの施錠方向および解錠方向の回動途中において、前記作動レバーと摺接することにより、中間部が弾性撓曲させられて、前記停止片が係止杆の移動軌跡から離れた位置まで移動させられるようにした板ばねにより形成する。
【００１０】
（４）上記(１)〜(３)項のいずれかにおいて、錠を、回転可能とした複数のダイヤルを適正な位置としたとき、操作レバーによる作動レバーの回動を可能とし、いずれかのダイヤルが適正な位置に位置していないときは、前記操作レバーによる作動レバーの回動を不能とするダイヤル錠とする。
【００１１】
（５）上記(１)〜(４)項のいずれかにおいて、上下方向を向く係止杆に、側方を向くアーム部を設け、このアーム部の上下いずれかの縁に、停止片が当接することにより、係止位置に位置している係止杆の解除位置方向への移動を阻止するようにする。
【発明の効果】
【００１２】
本発明によると、次のような効果を奏することができる。
請求項１記載の発明によると、係止杆が係止位置に位置しているとき、係止杆の解除位置方向への移動が、ブロック手段の停止片により阻止されているため、係止杆の重量や、復帰用の付勢手段の付勢力等が、作動レバーに作用することがなく、作動レバーの耐久性を向上しうるとともに、操作レバーを軽力で操作することができる。
また、係止杆は、作動レバーと連係させさえすればよく、形状および構造を自由に設計できるので、係止杆と筐体との係合部位を、錠から離れた所望の部位に設けることができるとともに、錠を扉の所望の部位に配設することができる。
さらに、錠によらないで、係止杆を解除位置に移動させようとする不正な行為を、未然に防止することもできる。
【００１３】
請求項２記載の発明によると、係止杆が解除位置に位置しているときも、係止杆の係止位置方向の移動が停止片により阻止されるので、誤作動を防止することができる。
【００１４】
請求項３記載の発明によると、板ばねを折曲するだけで、ブロック手段を簡単に形成することができ、構造の簡素化、および製造コストの低減を図ることができる。
【００１５】
請求項４記載の発明によると、錠をダイヤル錠としてあるので、鍵を持ち歩く必要がなく、しかも安全性を高めることができる。
【００１６】
請求項５記載の発明によると、係止杆と停止片との関係を簡素化することができる。
【発明を実施するための最良の形態】
【００１７】
以下、本発明の実施形態を、図面に基づいて説明する。
図１〜図６は、本発明の一実施形態を備える両開き扉付キャビネットを示す。
【００１８】
図１および図２に示すように、このキャビネットは、スチール製の筐体１を備えている。この筐体１は、それぞれが中空板状に形成された左右１対の側板２、２の上端部同士および下端部同士を、上框３および下框４によりそれぞれ連結し、かつそれらの後面を、後面板５により閉塞した、前面が開口する箱状に形成されている。
【００１９】
筐体１の前面開口部には、左右１対の扉６、６が、それらの外側部を上下１対の蝶番７、７をもって各側板２の前面に枢着することにより、開閉自在に装着されている。
【００２０】
左右の扉６、６は、後述する施錠装置１０が右方の扉６のみに設けられていることを除いては、ほぼ左右対称の構成をなしている。
各扉６の前面における内方寄りの中位部には、把手８を収容した空所９が設けられている。
各把手８は、各扉６の上下部に設けたラッチと連係され、把手８を操作することにより、ラッチを解除することができるようになっているが、その機構は、本発明には直接関係しないので、図示および詳細な説明は省略する。
【００２１】
右方の扉６の前面における空所９の上方には、施錠装置１０におけるダイヤル錠１１が設けられている。
ダイヤル錠１１は、操作面１２ａが扉６の前面に露呈するようにして、扉６の後面に取り付けられたほぼ直方体状のケース１２と、操作面１２ａより一部が前方に露呈するようにして、ケース１２に回転自在に装着された複数(この例では４個)のダイヤル１３と、操作面１２ａより前方に突出するように設けられた操作レバー１４と、扉６の後面側において、ケース１２の一角部より外向きに突出し、図２および図３に実線で示すように、ほぼ水平方向を向く施錠位置と、同じく２点鎖線で示すように、下方を向く解錠位置とに回動可能としてケース１２に装着されたフック状の作動レバー１５とを備え、すべてのダイヤル１３を適正な位置としたときだけ、操作レバー１４により、作動レバー１５を解錠位置から施錠位置、および施錠位置から解錠位置へ回動させることができ、いずれかのダイヤル１３が、適正な位置に位置していないときは、操作レバー１４による作動レバー１５の回動操作ができないようになっている。
【００２２】
施錠装置１０は、ダイヤル錠１１の他に、扉６の後面に設けたブラケット１６に、前後方向を向く軸１７をもって中央部が枢着された反転リンク１８と、この反転リンク１８の一端部に、軸１７と平行の軸１９をもって下端部が連結され、かつ上端部が扉６の上端より上方に進退しうるようにした上部係止杆２０と、反転リンク１８の他端部に、軸１７と平行の軸１８ａをもって上端部が連結され、かつ下端部が扉６の下端より下方に進退しうるようにした下部係止杆２１と、扉６の後面に設けた突片２２に上端が掛止され、かつ下端が下部係止杆２１の上端部に掛止されて、下部係止杆２１を上向きに付勢する付勢手段である引張りコイルばね２３とを備えている。
【００２３】
上部係止杆２０と下部係止杆２１とは、反転リンク１８により、互いに上下逆方向に同期して移動するように連係され、扉６の上端および下端から上下方向に突出して、筐体１の上框３および下框４に設けた係合孔２４、２５(図２および図６参照)に係合しうる係止位置と、その位置から扉の内方に移動して、係合孔２４、２５から離脱する解除位置との間をほぼ上下方向に移動可能であり、引張りコイルばね２３により、常時解除位置に向かって付勢されている。
【００２４】
上下方向を向く上部係止杆２０のやや下部には、ダイヤル錠１１に向かって水平に延出するアーム部２０ａが一体的に形成されており、アーム部２０ａの先端には、後方を向く折曲片２０ｂが折曲形成されている。折曲片２０ｂの下縁は水平をなし、その後端部には、作動レバー１５との係合が外れないようにするための垂下片２０ｃが設けられている。
【００２５】
折曲片２０ｂの下縁は、ダイヤル錠１１における作動レバー１５の回動軌跡内に位置し、作動レバー１５が解錠位置から施錠位置に回動させられる際に、作動レバー１５の上縁が、折曲片２０ｂの下縁に当接して、上部係止杆２０は、引張りコイルばね２３の付勢力に抗して、解除位置から係止位置まで、押し上げられる。
また、それに伴って、下部係止杆２１も、上部係止杆２０と連動して、解除位置から係止位置まで、押し下げられる。
【００２６】
扉６の後面におけるダイヤル錠１１と上部係止杆２０との間には、左右方向の中間部に、平面視コ字状の後向突出部２６ａが設けられた上下方向を向く補強杆２６が設けられており、後向突出部２６ａのやや上部には、縦長の方形の切欠き２７が設けられている。この切欠き２７には、ブロック手段をなす上下方向を向く板ばね２８の一部が収容されている。
【００２７】
板ばね２８は、基端部である下端部２８ａが、後向突出部２６ａの後面における切欠き２７の下方に、固定ねじ２９をもって止着され、先端部である上端部に、後方を向く水平の停止片２８ｂが折曲形成され、かつ中間部に、側面視山形をなして後方に向かって突出する摺接部２８ｃが設けられている。
【００２８】
停止片２８ｂは、上部係止杆２０のアーム部２０ａの移動軌跡内に進入し、上部係止杆２０の係止位置から解除位置方向への移動、および解除位置から係止位置への移動を阻止するブロック位置と、上部係止杆２０のアーム部２０ａの移動軌跡から離れ、アーム部２０ａの係止位置から解除位置およびその逆方向への移動を許容する解除位置とに移動可能であり、自然状態では、ブロック位置に位置し、板ばね２８の中間部が弾性撓曲させられることにより、解除位置に移動させられるようになっている。
【００２９】
摺接部２８ｃは、その山形の頂部が、ダイヤル錠１１における作動レバー１５の回動軌跡内に位置し、作動レバー１５が解錠位置から施錠位置、および施錠位置から解錠位置へ回動させられ途中で、作動レバー１５の前面に摺接して、弾性撓曲させられ、停止片２８ｂが一旦解除位置まで移動させられ、作動レバー１５が施錠位置または解錠位置に到達する直前に、再度停止片２８ｂがブロック位置に復帰させられるようになっている。
すなわち、摺接部２８ｃは、作動レバー１５の施錠方向および解錠方向の回動動作に連動して、停止片２８ｂを解除位置まで移動させる連動手段をなしている。
【００３０】
したがって、上部係止杆２０が係止位置に位置しているとき、上部係止杆２０の解除位置方向への移動が、ブロック手段である板ばね２８の停止片２８ｂにより阻止されているため、上部係止杆２０の重量や、復帰用の引張りコイルばね２３の付勢力等が、作動レバー１５に作用することがなく、作動レバー１５の耐久性を向上しうるとともに、操作レバー１４を軽力で操作することができる。
【００３１】
また、上部係止杆２０は、作動レバー１５と連係させさえすればよく、形状および構造を自由に設計できるので、上部係止杆２０と筐体１との係合部位を、ダイヤル錠１１から離れた所望の部位に設けることができるとともに、ダイヤル錠１１を扉６の所望の部位に配設することができる。
さらに、ダイヤル錠１１によらないで、上部係止杆２０を解除位置に移動させようとする不正な行為を、未然に防止することもできる。
【００３２】
さらに、上記実施形態においては、上部係止杆２０が解除位置に位置しているときも、上部係止杆２０の係止位置方向の移動が停止片２８ｂにより阻止されるようにしてあるので、誤作動を防止することができる。
【００３３】
本発明は、以上の実施形態の他にも、特許請求の範囲を逸脱することなく、種々の変形や変更を施して実施することができる。
例えば、下部係止杆２１を省略して実施したり、上部係止杆２０、下部係止杆２１、およびダイヤル錠１１全体を、９０度回転させて、左右方向を向くようにして実施したり、下部係止杆２１をダイヤル錠１１に連係させたりすることができる。
【００３４】
また、ダイヤル錠１１に代えて、キー溝にキーを挿入し、キーにより、内部のロータと作動レバーとを、解錠位置から施錠位置、および施錠位置から解錠位置へ回動させるようにしたシリンダ錠を使用することもできる。
【図面の簡単な説明】
【００３５】
【図１】本発明の一実施形態を備える両開き扉付キャビネットの外観斜視図である。
【図２】同じく、右方の扉を開いたときの右半部の正面図である。
【図３】同じく、図２の要部の拡大図である。
【図４】(ａ)(ｂ)(ｃ)は、作動レバーと上部係止杆と板ばねとの動作を説明するための斜視図である。
【図５】(ａ)(ｂ)(ｃ)は、作動レバーと上部係止杆と板ばねとの動作を説明するための背面図である。
【図６】(ａ)(ｂ)(ｃ)は、作動レバーと上部係止杆と板ばねとの動作を説明するための側面図である。
【符号の説明】
【００３６】
１  筐体
２  側板
３  上框
４  下框
５  後面板
６  扉
７  蝶番
８  把手
９  空所
１０  施錠装置
１１  ダイアル錠
１２  ケース
１２ａ操作面
１３  ダイヤル
１４  操作レバー
１５  作動レバー
１６  ブラケット
１７  軸
１８  反転リンク
１８ａ軸
１９  軸
２０  上部係止杆
２０ａアーム部
２０ｂ折曲片
２０ｃ垂下片
２０  軸
２１  下部係止片
２２  突片
２３  引張りコイルばね(付勢手段)
２４、２５  係合孔
２６  補強杆
２６ａ後向突出部
２７  切欠き
２８  板ばね(ブロック手段)
２８ａ下端部
２８ｂ停止片
２８ｃ摺接部(連動手段)
２９  固定ねじ
【図１】
2008150838.tif 000003
【図２】
2008150838.tif 000004
【図３】
2008150838.tif 000005
【図４】
2008150838.tif 000006
【図５】
2008150838.tif 000007
【図６】
2008150838.tif 000008